(57)【要約】【課題】  気密性を確保しつつ、見た目がすっきりした天井構造及びその構築方法を提供する。【解決手段】  室内空間（収納空間Ｓ）の天井構造は、室内空間（収納空間Ｓ）の第１天井部（天井材１８）と壁部２０との入隅部を覆う気密シート２６を備える。また、室内空間（収納空間Ｓ）の天井構造は、入隅部において、気密シート２６を支持する支持部材（受け材２７）を備える。さらに、室内空間（収納空間Ｓ）の天井構造は、気密シート２６より下方に設けられる第２天井部３０を備える。【選択図】図３
2019196619.tif 000002
【特許請求の範囲】
【請求項１】
室内空間の天井構造であって、
前記室内空間の第１天井部と壁部との入隅部を覆う気密シートと、
前記入隅部において、前記気密シートを支持する支持部材と、
前記気密シートより下方に設けられる第２天井部と、を備える
ことを特徴とする天井構造。
【請求項２】
前記第２天井部は、非居室空間に設けられる
ことを特徴とする、請求項１に記載の天井構造。
【請求項３】
前記第２天井部の端部と、前記壁部との間には、前記壁部に取り付けられた壁紙の上端部が収容される収容空間を有する
ことを特徴とする、請求項１又は２に記載の天井構造。
【請求項４】
前記第２天井部は、化粧板で形成される
ことを特徴とする、請求項１〜３の何れか一項に記載の天井構造。
【請求項５】
室内空間の天井構造の構築方法であって、
前記室内空間の第１天井部と壁部との入隅部に気密シートを設置する気密シート設置工程と、
前記入隅部において、前記気密シートを支持する支持部材を取り付ける支持部材取付工程と、
前記気密シートより下方に設けられる第２天井部を取り付ける第２天井部取付工程と、
前記壁紙を前記壁部に貼り付けると共に、前記第２天井部の端部と、前記壁部との間に形成された収容空間に、壁紙の上端部を収容する壁紙設置工程と、を含む
ことを特徴とする天井構造の構築方法。
【発明の詳細な説明】
【技術分野】
【０００１】
本発明は、天井構造及びその構築方法に関するものである。
【背景技術】
【０００２】
従来、建物の室内空間の気密性を確保するために、室内空間の入隅部に、気密シートを貼り付けることが知られている（例えば、特許文献１参照）。
【０００３】
特許文献１には、廻り縁を天井と壁とのコーナー部に、両面粘着テープを介して圧着する構成が開示されている。これにより、天井と壁とのコーナー部の隙間を完全に覆い、室内空間の気密性を確保する。
【先行技術文献】
【特許文献】
【０００４】
【特許文献１】特開平６−２２０９８４号公報
【発明の概要】
【発明が解決しようとする課題】
【０００５】
しかしながら、特許文献１の天井構造では、廻り縁が、室内空間に剥き出しの状態で取り付けられるため、室内空間の見た目がすっきりしない、という問題がある。
【０００６】
そこで、本発明は、気密性を確保しつつ、見た目がすっきりした天井構造及びその構築方法を提供することを目的としている。
【課題を解決するための手段】
【０００７】
前記目的を達成するために、本発明の天井構造は、室内空間の天井構造であって、前記室内空間の第１天井部と壁部との入隅部を覆う気密シートと、前記入隅部において、前記気密シートを支持する支持部材と、前記気密シートより下方に設けられる第２天井部と、を備えることを特徴とする。
【０００８】
ここで、本発明の天井構造では、前記第２天井部は、非居室空間に設けられてもよい。また、本発明の天井構造では、前記第２天井部の端部と、前記壁部との間には、前記壁部に取り付けられた壁紙の上端部が収容される収容空間を有してもよい。また、本発明の天井構造では、前記第２天井部は、化粧板で形成されてもよい。
【０００９】
さらに、本発明の天井構造の構築方法は、室内空間の天井構造の構築方法であって、前記室内空間の第１天井部と壁部との入隅部に気密シートを設置する気密シート設置工程と、前記入隅部において、前記気密シートを支持する支持部材を取り付ける支持部材取付工程と、前記気密シートより下方に設けられる第２天井部を取り付ける第２天井部取付工程と、前記壁紙を前記壁部に貼り付けると共に、前記第２天井部の端部と、前記壁部との間に形成された収容空間に、壁紙の上端部を収容する壁紙設置工程と、を含むことを特徴とする。
【発明の効果】
【００１０】
このように構成された本発明の天井構造では、第２天井部によって、第１天井部と壁部との入隅部に設けられた気密シート及び支持部材を隠すことができるため、見た目がすっきりした気密性のある室内空間とすることができる。
【００１１】
また、本発明の天井構造では、前記第２天井部は、非居室空間に設けられるため、居室空間の天井を第１天井部とし、非居室空間の天井を第２天井部とすることができ、居室空間の天井高を高くしつつ、非居室空間の天井の見た目をすっきりさせることができる。
【００１２】
また、本発明の天井構造では、前記第２天井部の端部と、前記壁部との間には、前記壁部に取り付けられた壁紙の上端部が収容される収容空間を有するため、室内空間にいる人間から、壁紙の上端部を見えないようにすることができ、見た目がすっきりした室内空間とすることができる。
【００１３】
また、本発明の天井構造では、前記第２天井部は、化粧板で形成されるため、天井に壁紙を取り付ける困難な作業をすることなく、見た目がすっきりした室内空間とすることができる。
【００１４】
さらに、本発明の天井構造の構築方法では、気密シート設置工程と、支持部材取付工程と、第２天井部取付工程と、壁紙設置工程と、を含むことで、気密シート取付工程と、支持部材取付工程と、第２天井部取付工程を、工場で実施することができ、建築現場での作業工数を削減し、生産性を向上させることができる。
【図面の簡単な説明】
【００１５】
【図１】実施例１のユニット建物を示す斜視図である。
【図２】実施例１の建物ユニットを示す斜視図である。
【図３】実施例１の収納空間の天井構造を示す断面図である。
【図４】実施例１の収納空間の第２天井部の構成を説明する分解斜視図である。
【図５】実施例１の収納空間の天井構造を拡大して示す拡大断面図である。
【図６】実施例１の収容空間の天井構造を示す断面図である。
【図７】実施例１の気密シート取付工程を説明する分解断面図である。
【図８】実施例１の支持部材取付工程を説明する分解断面図である。
【図９】実施例１の第２天井部取付工程を説明する分解断面図である。
【図１０】実施例１の壁紙設置工程を説明する分解断面図である。
【発明を実施するための形態】
【００１６】
以下、本発明による天井構造及びその構築方法を実現する実施形態を、図面に示す実施例１に基づいて説明する。
【実施例１】
【００１７】
実施例１の天井構造及びその構築方法は、工場で予め製造された建物ユニットを建築現場へ搬送して、建築現場で複数の建物ユニットを並べて組み立てることによって構築するユニット建物１に適用される。また、実施例１の天井構造及びその構築方法は、非居室空間としての収納空間に適用される。
【００１８】
［ユニット建物の構成］
図１は、実施例１のユニット建物を示す斜視図である。以下、図１に基づいて、実施例１のユニット建物の構成を説明する。
【００１９】
ユニット建物１は、基礎２の上に下階の建物ユニット３が複数設置され、下階の建物ユニット３の上に上階の建物ユニット４が複数設置され、上階の建物ユニット４の上に屋根パネル５が設置されるものとなっている。
【００２０】
［建物ユニットの構成］
図２は、実施例１の建物ユニットを示す斜視図である。以下、図２に基づいて、実施例１の建物ユニットの構成を説明する。
【００２１】
建物ユニット３，４は、図２に示すように、隅角部に配置される柱材としての柱１１と、柱１１の下端間に架け渡される梁材としての床梁１２と、柱１１の上端間に架け渡される梁材としての天井梁１３と、によってボックス形のラーメン構造体（骨組構造体）に形成される。
【００２２】
柱１１は、四角筒状の角形鋼管によって形成される。床梁１２と天井梁１３は、溝形鋼によって成形される。
【００２３】
桁側の床梁１２間には、長辺方向（桁方向）Ｘに間隔を置いて複数の床小梁１４が差し渡される。床小梁１４は、四角筒状の角形鋼管によって成形される。
【００２４】
床小梁１４上には、妻側の床梁１２間に複数の木製の床根太１５が差し渡される。床根太１５の上には、床材１６が貼り付けられる。
【００２５】
桁側の天井梁１３間には、短辺方向（妻方向）Ｙに向けた複数の木製の天井根太１７が架け渡される。天井根太１７の下面には、第１天井部としての天井材１８が取り付けられる。天井梁１３と、天井梁１３と隣接する天井根太１７と、の間には、端根太１９が差し渡される。
【００２６】
柱１１間には、壁部２０が設けられる。柱１１と床梁１２との接合部には、断面視略コ字形の接合枠材２１が配置される。接合枠材２１の端面が柱１１の側面に当接されて溶接によって接合が行われ、接合枠材２１に対して床梁１２が溶接によって接合される。接合枠材２１は、柱１１と天井梁１３との接合にも使用される。建物ユニット３，４の長辺方向Ｘの一方端には、室内空間としての収納空間Ｓを有する。
【００２７】
［収納空間の天井構造の構成］
図３は、実施例１の収納空間Ｓの天井構造を示す断面図である。図４は、実施例１の収納空間Ｓの第２天井部の構成を説明する分解斜視図である。図５は、実施例１の収納空間Ｓの天井構造を拡大して示す拡大断面図である。図６は、実施例１の収納空間Ｓの天井構造を示す断面図である。以下、図３〜６に基づいて、実施例１の収納空間Ｓの天井構造の構成を説明する。
【００２８】
収納空間Ｓは、床材１６と、壁部２０と、第２天井部３０と、収納扉４１と、に囲まれて構成される。
【００２９】
図３に示すように、建物ユニット３，４の端部に設けられた壁部２０と、第１天井部としての天井材１８との入隅部には、気密シート２６が貼り付けられる。言い換えると、気密シート２６は、建物ユニット３，４の長辺方向Ｘの端部に設けられた壁部２０と天井材１８との入隅部と、建物ユニット３，４の短辺方向Ｙの端部に設けられた壁部２０と天井材１８との入隅部と、に設けられる。壁部２０は、間仕切りであってもよいし、外壁であってもよい。
【００３０】
一方、例えば、建物ユニット３，４の短辺方向Ｙの中央部付近や、建物ユニット３，４の長辺方向Ｘの中央部付近に設けられた間仕切りと、天井材１８との入隅部には、気密シート２６を設ける必要はない。なお、気密シート２６は、壁部２０と壁部２０との入隅部に貼り付けられてもよいし、壁部２０と床材１６との入隅部に貼り付けられてもよい。
【００３１】
気密シート２６は、例えば、幅が略３０ミリの大きさで、略１０ミリの部分が天井材１８に貼り付けられ、略２０ミリの部分が壁部２０に貼り付けられる。なお、天井材１８と壁部２０との入隅部には、予めシーリング材が充填されてもよい。
【００３２】
天井材１８と壁部２０との入隅部に貼り付けられた気密シート２６には、収納空間Ｓの内側から気密シート２６を押しつけて支持する支持部材としての受け材２７が取り付けられる。受け材２７は、天井材１８と壁部２０との入隅部に貼り付けられた気密シート２６を覆う程度の大きさを有する。
【００３３】
受け材２７は、図４に示すように、長辺方向Ｘに延在して形成される第１受け材２７ａと、長辺方向Ｘに延在して形成される第２受け材２７ｂと、短辺方向Ｙに延在して形成される第３受け材２７ｃと、を備える。第１受け材２７ａの側面には、長辺方向Ｘに延在する第１凹部２８ａが形成される。第２受け材２７ｂの側面には、長辺方向Ｘに延在する第２凹部２８ｂが形成される。第３受け材２７ｃの側面には、短辺方向Ｙに延在する第３凹部２８ｃが形成される。
【００３４】
第２天井部３０は、図３及び図４に示すように、枠部３１と、枠部３１の下面に取り付けられた第２天井材３３と、を有する。
【００３５】
枠部３１は、長辺方向Ｘに延在して形成される第１枠部３１ａと、長辺方向Ｘに延在して形成される第２枠部３１ｂと、短辺方向Ｙに延在して形成される第３枠部３１ｃと、短辺方向Ｙに延在して形成される第４枠部３１ｄと、で構成される。第１枠部３１ａの側面には、長辺方向Ｘに延在する第１凸部３２ａが形成される。第２枠部３１ｂの側面には、長辺方向Ｘに延在する第２凸部３２ｂが形成される。第３枠部３１ｃの側面には、短辺方向Ｙに延在する第３凸部３２ｃが形成される。
【００３６】
第１凸部３２ａは、第１凹部２８ａに嵌合する。第２凸部３２ｂは、第２凹部２８ｂに嵌合する。第３凸部３２ｃは、第３凹部２８ｃに嵌合する。
【００３７】
第２天井材３３は、化粧板として形成される。第２天井材３３は、図３及び図４に示すように、枠部３１の下面に取り付けられて、天井材１８と壁部２０との入隅部に貼り付けられた気密シート２６より下方に設けられる。
【００３８】
図５に示すように、第２天井材３３の端部と壁部２０との間に隙間Ｈが形成される。隙間Ｈは、後述する壁紙３５の端部が収容される収容空間Ｇを形成する。
【００３９】
壁部２０には、壁紙３５が貼り付けられる。受け材２７は、壁紙３５が気密シート２６の上に貼り付けられることを防止する。
【００４０】
収納扉４１は、図６に示すように、収納空間Ｓの出入口Ｅに設けられる。収納扉４１は、引き戸として構成される。収納扉４１は、収納扉受部材４２によって、可動式に支持され、収納空間Ｓに対して開閉可能となる。収納扉受部材４２は、天井材１８を介して天井根太１７に、ビス等で取り付けられる。なお、収納扉４１は、開き戸であってもよいし、折れ戸であってもよい。
【００４１】
［収納空間の天井の構築方法］
図７は、実施例１の気密シート設置工程を説明する分解断面図である。図８は、実施例１の支持部材取付工程を説明する分解断面図である。図９は、実施例１の第２天井部取付工程を説明する分解断面図である。図１０は、実施例１の壁紙設置工程を説明する分解断面図である。以下、図７〜図１０に基づいて、実施例１の収納空間Ｓの天井の構築方法を説明する。
【００４２】
ユニット建物１の収納空間Ｓの天井は、気密シート２６を設置する気密シート設置工程と、気密シート２６を支持する支持部材を取り付ける支持部材取付工程と、第２天井部３０を取り付ける第２天井部取付工程と、壁紙３５を設置する壁紙設置工程と、を経て構築される。
【００４３】
（気密シート設置工程）
気密シート設置工程は、工場で実施される。気密シート設置工程では、図７に示すように、天井材１８と壁部２０との入隅部に、気密シート２６を隙間なく貼り付ける。なお、気密シート２６は、壁部２０と壁部２０との入隅部と、壁部２０と床材１６との入隅部に貼り付けられてもよい。
【００４４】
（支持部材取付工程）
支持部材取付工程は、工場で実施される。支持部材取付工程では、図８に示すように、天井材１８と壁部２０との入隅部に貼り付けられた気密シート２６を覆うように、受け材２７を取り付ける。
【００４５】
（第２天井部取付工程）
第２天井部取付工程は、工場で実施される。第２天井部取付工程では、図９に示すように、第２天井部３０を受け材２７に取り付ける。この際、第１凸部３２ａを第１凹部２８ａに嵌合させ、第２凸部３２ｂを第２凹部２８ｂに嵌合させた状態で、収納空間Ｓの出入口Ｅから、長辺方向Ｘで、建物ユニット３，４の端部に向けてスライドさせて、第３凸部３２ｃを第３凹部２８ｃに嵌合させる。すなわち、第２天井部３０が受け材２７に取り付けられた状態では、第１凸部３２ａが第１凹部２８ａに嵌合し、第２凸部３２ｂが第２凹部２８ｂに嵌合し、第３凸部３２ｃが第３凹部２８ｃに嵌合する。
【００４６】
これにより、第２天井部３０は、天井材１８と壁部２０との入隅部に貼り付けられた気密シート２６の下方に取り付けられる。第２天井部取付工程では、第２天井部３０を受け材２７に取り付けた後に、収納扉受部材４２を、天井材１８を介して天井根太１７にビス等で取り付け、収納扉４１を収納扉受部材４２に取り付ける。第２天井部取付工程を経た建物ユニット３，４は、建築現場に搬送される。
【００４７】
（壁紙設置工程）
壁紙設置工程は、建築現場で実施される。壁紙設置工程では、図１０に示すように、壁紙３５を壁部２０に貼り付ける。この際、壁紙３５の上端部を、例えば専用のへら等の道具を用いて、収容空間Ｇに押し込む。
【００４８】
次に、実施例１の天井構造及びその構築方法の作用を説明する。実施例１の天井構造は、室内空間（収納空間Ｓ）の天井構造である。この天井構造は、前記室内空間（収納空間Ｓ）の第１天井部（天井材１８）と壁部２０との入隅部を覆う気密シート２６と、前記入隅部において、前記気密シート２６を支持する支持部材（受け材２７）と、前記気密シート２６より下方に設けられる第２天井部３０と、を備える（図３）。
【００４９】
これにより、第２天井部３０によって、第１天井部（天井材１８）と壁部２０との入隅部に設けられた気密シート２６及び支持部材（受け材２７）を隠すことができる。そのため、見た目がすっきりした気密性のある室内空間（収納空間Ｓ）とすることができる。また、第２天井部３０と壁部２０との入隅部に、気密シート２６や見切縁（廻り縁）を設ける必要がなくなる。
【００５０】
実施例１の天井構造は、前記第２天井部３０は、非居室空間（収納空間Ｓ）に設けられる（図３）。これにより、居室空間の天井を第１天井部（天井材１８）とし、非居室空間（収納空間Ｓ）の天井を第２天井部３０とすることができる。そのため、居室空間の天井高を高くしつつ、非居室空間（収納空間Ｓ）の天井の見た目をすっきりさせることができる。
【００５１】
実施例１の天井構造は、前記第２天井部３０の端部と、前記壁部２０との間には、前記壁部２０に取り付けられた壁紙３５の上端部が収容される収容空間Ｇを有する（図５）。
【００５２】
これにより、壁紙３５の上端部を室内空間（収納空間Ｓ）にいる人間から見えないようにすることができる。そのため、見た目のすっきりした室内空間（収納空間Ｓ）とすることができる。また、収容空間Ｇに壁紙３５の上端部を収容した状態で、壁紙３５と、第２天井部３０の端部との間に、多少の隙間を設けることができる。そのため、第２天井部３０と、壁紙３５が貼り付けられた壁部２０と、の合わせ部を綺麗な見切り（収まり）とすることができる。
【００５３】
実施例１の天井構造は、前記第２天井部３０は、化粧板で形成される（図３）。これにより、第２天井部３０に壁紙３５を取り付ける困難な作業をすることなく、見た目がすっきりした室内空間（収納空間Ｓ）とすることができる。
【００５４】
実施例１の天井構造の構築方法は、室内空間（収納空間Ｓ）の天井構造の構築方法である。この天井構造の構築方法は、前記室内空間（収納空間Ｓ）の第１天井部（天井材１８）と壁部２０との入隅部に気密シート２６を設置する気密シート設置工程と、前記入隅部において、前記気密シート２６を支持する支持部材（受け材２７）を取り付ける支持部材取付工程と、前記気密シート２６より下方に設けられる第２天井部３０を取り付ける第２天井部取付工程と、前記壁紙３５を前記壁部２０に貼り付けると共に、前記第２天井部３０の端部と、前記壁部２０との間に形成された収容空間Ｇに、壁紙３５の上端部を収容する壁紙設置工程と、を含む（図７〜図１０）。
【００５５】
これにより、気密シート取付工程と、支持部材取付工程と、第２天井部取付工程を、工場で実施することができる。そのため、建築現場での作業工数を削減し、生産性を向上させることができる。
【００５６】
以上、本発明の天井構造及びその構築方法を実施例１に基づき説明してきた。しかし、具体的な構成については、この実施例に限られるものではなく、特許請求の範囲の各請求項に係る発明の要旨を逸脱しない限り、設計の変更や追加等は許容される。
【００５７】
実施例１では、収納扉４１は、引き戸として構成される例を示した。しかし、収納扉としては、開き戸であってもよいし、折れ戸であってもよい。
【００５８】
実施例１では、非居室空間を収納空間Ｓとする例を示した。しかし、非居室空間としては、階段の吹き抜け空間であってもよい。
【００５９】
実施例１では、本発明をユニット建物に適用する例を示した。しかし、本発明は、一般的な鉄骨構造の建物や、在来工法の建物、ツーバイフォー式の建物にも適用可能である。
【符号の説明】
【００６０】
１        ユニット建物
３，４    建物ユニット
１８      天井材（第１天井部の一例）
２０      壁部
２６      気密シート
２７      受け材（支持部材の一例）
３０      第２天井部
３５      壁紙
Ｇ        収容空間
Ｓ        収納空間（室内空間の一例）
【図１】
2019196619.tif 000003
【図２】
2019196619.tif 000004
【図３】
2019196619.tif 000005
【図４】
2019196619.tif 000006
【図５】
2019196619.tif 000007
【図６】
2019196619.tif 000008
【図７】
2019196619.tif 000009
【図８】
2019196619.tif 000010
【図９】
2019196619.tif 000011
【図１０】
2019196619.tif 000012